(57)【要約】      （修正有）【課題】受託の窓辺に設置可能であり、重ねて栽培ができ、輸送時の保護機能を有する栽培箱を提供する。【解決手段】植物栽培箱０１は、光拡散板２１で作られた天板、水平仕切り板、縦仕切り板、窓０７面の板で構成される。水平の仕切り板を通じて下の仕切りにも光が透過し、下段の栽培植物０４にも光が届き、植物栽培箱０１のそれぞれの仕切りの中に栽培植物０４を並べる事で、多段の栽培が可能となる。【選択図】図２
2018121574.tif 000002
【特許請求の範囲】
【請求項１】
光拡散板により作られた植物栽培箱で、多段での栽培を可能とする箱。
【請求項２】
光拡散板により作られた植物輸送箱で、積み重ねて輸送可能で、そのまま採光が得られ、そのまま展示できる箱。
【請求項３】
請求項１記載の植物栽培箱及び請求項２記載の植物輸送箱で、箱に付随した照明器具により、若しくは箱の外から照射する照明器具により、インテリア照明装置としての効果を及ぼすもの。
【請求項４】
窓辺で行う植物栽培に用いる光拡散板により作られたブラインド。
【発明の詳細な説明】
【技術分野】
【０００１】
この発明は、植物の栽培に関する技術である。
【背景技術】
【０００２】
住宅内で植物を栽培することは、心を落ち着かせる。花卉は生活に華やかさと潤いを与える。住宅だけでなく、オフィスや工場、教室、ホテル、病室、など人が活動し休息する場所であればどこにあっても有用である。
【０００３】
職場において、インテリアプランツの緑や景観緑地が見える職場環境の場合と、そうでない場合を比較検証した結果、緑を目にしている環境のほうが労働者の仕事や生活に対する満足感が高いことがアメリカの調査結果で出ている。とくに男性には効果が高く、緑のある職場環境への好評価が得られている。
【０００４】
野菜の栽培は育てて食するという食育の観点でも有用である。種子を育てスプラウトとして食した場合は栄養価が高く、個人で楽しむ者も増えている。
一方では都市化が進行し、高層住宅、超高層住宅に生活する者が増え、土から離れその結果、植物に直接触れることができる窓辺に植物をおき、楽しむ事が必要となっている。
【先行技術文献】
【特許文献】
【０００５】
【特許文献１】特開2012-235750  植物栽培装置
【特許文献２】実開平04-021242  光装飾性栽培容器
【特許文献３】特開2005-176690  植物育成用照明装置
【特許文献４】特開2004-097172  光ダクトを利用した植物育成工場
【特許文献５】特開2007-247315  光拡散反射型窓
【発明の概要】
【発明が解決しようとする課題】
【０００６】
特許文献１  特開2012-235750  植物栽培装置では、ＬＥＤ照明器具と光拡散板を用い、複数のプランターを生育する事を試みている。しかしながら、人工照明を用いる事を前提とした発明であり、住宅の窓辺に設置するような簡易なものではない。この発明の装置では上部からの照射するものとして考案されているので、窓辺のように主に横から照射される太陽光線では十分な日照を得られず、十分な生育は望めない。家庭で行う栽培は、職業としての農業では無い。大きな投資があってはならないし、コンパクトなものでなくてはならない。その点からも採用が難しい技術である。
【０００７】
特許文献４  特開2004-097172  光ダクトを利用した植物育成工場においては、自然光を用い、多段の植物栽培を行うものである。これも前項と同じく、住宅の窓辺に設置することが出来るものではない。
【０００８】
特許文献５  特開2007-247315  光拡散反射型窓においては、窓に光拡散板を用い、拡散光を室内に導き、室内環境を整える効果が見込める。しかし、窓の重要な要素の一つは外の景色を眺めることである。人は外部で起きている事象を確認し、安心感を得る。その安心感がリラックスにつながり、休息になり、また集中力につながる。当該発明では外を知ることが出来ない。住宅の窓辺に設置することが出来るものではない。
【課題を解決するための手段】
【０００９】
光拡散板を用い、植物を覆う箱により、直射日光は拡散光に変化し、植物のそれぞれの葉に紫外線を含まない光が万遍なく届く。光合成の総量を増やすことができ、早い成長が可能となる。光拡散板を箱形状とすることで重ねて栽培が可能となる。箱形状の強度を高める事で輸送用の保護も兼ねた箱となる。
【発明の効果】
【００１０】
光拡散板で作った植物栽培箱に入れたレタスの葉は、直射日光の下で栽培したレタスの葉の２倍以上の成長が見られた。
植物栽培箱を多段とする事で多数の植物を栽培出来る。光拡散板で作った植物輸送箱は輸送中に積み重ねた状態でも、下の段の植物に光が届き、輸送中の植物管理が容易になる。届いた先で前面板を外し、そのまま展示する事で、植物栽培箱と同じ効果が得られる。
植物栽培箱の内部または外部に照明器具を設置し、植物展示箱の仕切り板や天板に光線を浴びせる事でインテリア照明器具として用いることができる。
スラットを光拡散板で作った植物栽培ブラインドは、窓全体を栽培箱に変える事が出来る。植物栽培ブラインドのスラットを操作する事で外を見ることができる。光拡散板の強い断熱性能により窓の断熱効果が期待でき、省エネにつながる。
【図面の簡単な説明】
【００１１】
【図１】は、植物栽培箱の図面である。（ａ）は、３段５列のイメージ図である。（ｂ）は、正面図である。（ｃ）は、断面図である。
【図２】は、植物栽培箱の詳細図である。（ａ）は、平面図である。（ｂ）は、平面詳細図である。（ｃ）は、断面詳細図である。
【図３】は、光拡散板の図面である。（ａ）は、光拡散板単板の構造図である。（ｂ）は、光拡散板端部の処理方法を示す。（ｃ）は、Ｌ型部の接続方法を示す。（ｄ）は、Ｔ型部の接続方法を示す。（ｅ）は、十字部の接続方法を示す。
【図４】は、図面代用写真である。（ａ）は、植物栽培箱の実例写真である。左は植物栽培箱に入れたレタス、右は直接窓からの直射日光を受けるレタスである。（ｂ）は、植物栽培箱に入れたレタスと直接窓からの直射日光を受けるレタスの葉の比較写真である。
【図５】は、植物輸送箱の図面である。（ａ）は、正面図である。（ｂ）は、輸送時の積み込み状態を示す。
【図６】は、植物輸送箱のイメージである。（ａ）は、輸送状態の植物輸送箱である。（ｂ）は、前面板を外した植物輸送箱である。（ｃ）は、展示状態の植物輸送箱である。（ｄ）は、植物輸送時に輸送植物を固定するための固定台座の板紙である。（ｅ）は、固定台座の板紙を組立状態を示す。
【図７】は、照明器具化した植物展示箱の図面である。（ａ）は、正面図である。（ｂ）は、前面板に飾り開口部を設けたものを示す。
【図８】は、植物栽培ブラインドの図面である。（ａ）は、平面図で、上図はスラットを開放し、直射日光を取り入れ、外の景色が見える状態、下図はスラットを閉鎖し直射日光を拡散光とし、外から中が見えず、植物の生育に適した状態である。（ｂ）は、断面図である。（ｃ）は、断面詳細図である。
【発明を実施するための形態】
【００１２】
住宅の窓に設置する植物栽培箱の例を図１に示す。植物栽培箱のそれぞれの仕切りの中に栽培植物を並べる事で、多段の栽培が可能となる。室内側を開放することで目で見て楽しむ事が可能となる。室内側に透明の板、光拡散板で作られた板、着色した半透明の板、及び前述の各板を適当な模様にくりぬいたもので塞ぐ事でデザイン性を高めても良い。１段１列としても良い。
【００１３】
植物栽培箱の構成の例を図２に示す。植物栽培箱は、光拡散板で作られた天板、水平仕切り板、縦仕切り板、窓面の板で構成される。一番下となる板は光拡散板でなくともよい。直射日光はガラス窓を通過しても、若干紫外線吸収されのみで、直射日光として、植物栽培箱に降り注ぐ。植物栽培箱の光拡散板により、透過した光は紫外線をほとんど持たない拡散光に変化する。水平の仕切り板を通じて下の仕切りにも光が透過し、下段の栽培植物にも光が届く。窓面の板と合わせた光が届く。
【００１４】
光拡散板の構成の例を図３  （ａ）に示す。両面の面材とそれをつなぐコア材からなる。厚さとコア材のピッチは様々あるが、栽培植物の種類や大きさ、地域性、デザイン性を考慮して選択する。光拡散性の点では乳半色のものが２０１７年１月時点では最も適切である。
【００１５】
天板や仕切り板の端部や接続の例は、図３  （ｂ）〜（ｅ）に示す。
図３  （ｂ）は、光拡散板端部の処理方法を示す。左図は単板端部をコア材切断したもの、中図は粘着シート処理したもの、右図は形材で処理したものである。形材の場合は差し込むのみ、接着材を併用するもの、粘着シートを併用する方法がある。
【００１６】
図３  （ｃ）は、Ｌ型部の処理方法を示す。左図は外側にＬ型形材を取り付けたもので接着材または粘着シートを併用する。中図と右図は、差し込み形材を用いる。差し込むのみ、接着材を併用するもの、粘着シートを併用する方法がある。
【００１７】
図３  （ｄ）は、Ｔ型部の処理方法を示す。最左図は端部を粘着シートで処理し、光拡散板中間部に接着剤又は粘着シートで固定する方法、左図は端部を形材で処理し、光拡散板中間部に接着剤又は粘着シートで固定する方法、中図と右図は差し込み形材を用い、三方の光拡散板を固定する方法で、差し込むのみ、接着材を併用するもの、粘着シートを併用する方法がある。
【００１８】
図３  （ｅ）は、十字部の処理方法を示す。最左図は、一方のみを通し材とし、端部を形材で処理し、通し材に接着剤又は粘着シートで固定する方法、左図、中図、右図は差し込み形材を用い、三方の光拡散板を固定する方法で、差し込むのみ、接着材を併用するもの、粘着シートを併用する方法がある。
【００１９】
植物栽培箱の１段１列の事例とレタスの栽培比較写真を図４に示す。図４  （ａ）は、植物栽培箱に入れて栽培したものとガラス窓の前に直接置いて栽培したものの比較した事例写真である。
【００２０】
図４  （ｂ）は、同じ大きさのレタスの苗を、左は植物栽培箱に入れて栽培し、右はそのまま窓台に置き栽培し、２０１６年１１月１２日から２０１６年１２月２日まで栽培したレタスの葉の生育の差を比較した写真である。２０日間で葉の長さは２倍程度、面積は４倍程度の差になった。
【００２１】
植物輸送箱の例を図５に示す。図５  （ａ）に示す通り、植物輸送箱の６面は光拡散板で作られた物である。直射日光が当たっても内部は紫外線がほとんど含まれない拡散光だけが届き、輸送植物に照射される。輸送中の植物の固定の為、固定台座が必要である。固定台座も光透過性の板材が良い。
【００２２】
図５  （ｂ）に示す通り、段を重ねて置いても下の段まで光が届くものである。
植物輸送箱をそのまま展示する例を図６に示す。図６  （ａ）は輸送時の状態である。図６  （ｂ）は、その内部の状態である。固定台座が輸送植物のポットを固定し、輸送時の揺れを抑える。図６  （ｃ）は、前面板を取り外し、固定台座を取り外し、植物を飾っている例である。前面板を透明の板に代える、前面板の一部を透明とする、前面板に開口部を設けるとしても植物の展示になじむ。
【００２３】
固定台座の例を、図６  （ｄ）、図６  （ｅ）に示す。矩形の板材の周囲を折り曲げ、固定台座の固定面の高さを保持し、安定させる為の脚部とする。また角を折り曲げる事で、固定台座を植物輸送箱に挿入する際に円滑に挿入できる利点がある。植物輸送箱の大きさと固定台座の大きさが適切に選択されていれば、前面板が取り付けられた状態では、固定台座は回転することなく、植物のポットの固定が可能となる。固定台座の中心部にはポットの大きさ孔を作り、ポットを固定する。図６  （ｄ）に示すように互い違いに折り曲げて、さらに安定させても良い。
【００２４】
植物栽培箱若しくは植物輸送箱を照明器具として利用する例を図７に示す。植物栽培箱若しくは植物輸送箱の内部に照明器具を設置し、光拡散板に光線を照射する事で植物栽培箱若しくは植物輸送箱の全体が明るく浮かび上がる。インテリア照明器具として用いることが出来る。中に設置されている植物も相まって美しく、人の気持ちを和ませるものとなる。前面板をデザインする例を図７  （ｂ）に示す。前面板に開口部を設け、開口部から植物を見せる方法、前面板に半透明の着色する方法、前面板を透明とする方法がある。
【００２５】
窓辺を植物栽培箱と同様の栽培効果がある場所とすることが可能な植物栽培ブラインドの設置例を図８に示す。図８  （ａ）上段は、植物栽培ブラインドのスラットが開放され、窓の外が見える状態である。室内から外を眺めたい時の状態である。図８  （ａ）下段は、植物栽培ブラインドのスラットが閉じられている。室内側は拡散光となり植物栽培に適した状態となっている。また、夜間でも外から内部が見えない状態となっている。さらに。光拡散板は断熱性能も高いため、外気の空調負荷の低減にもつながる。
【産業上の利用可能性】
【００２６】
植物栽培箱は、住宅の窓辺に設置することで、植物栽培を通じ、居住者の心身を健康にすることができる。住宅以外でも、事務所、店舗、学校、病院、図書館、老健施設、保育園、幼稚園等に設置して利用者の心身を健康にすることができる。
【００２７】
植物輸送箱は、輸送中の植物を寒暖の変化から守りながら、効率的に採光を与える事が出来るので、品質を保ったまま花卉を輸送することが可能となる。さらにそのまま花卉を展示することも可能である。
【００２８】
植物栽培ブラインドは、窓辺全部を植物栽培に適した場所に変えることも景色を楽しむ場所にかえることも出来る。さらに断熱効果も期待できるので、省エネにつながる技術である。
【符号の説明】
【００２９】
０１    植物栽培箱
０２    植物輸送箱
０３    植物展示箱
０４    栽培植物
０５    輸送植物
０６    展示植物
０７    窓
１１    直射日光
１２    拡散光
１３    光線
２１    光拡散板
２２    面材
２３    コア材
２４    空洞部
２５    粘着シート
２６    形材
２７    前面板
３１    ポット
３２    固定台座
３３    固定台座脚部
３４    ポット固定部
３５    切れ目
３６    折り目
４１    照明器具
４２    飾り開口部
４３    植物栽培ブラインド
４４    ブラインドボックス
４５    スラット
【図１】
2018121574.tif 000003
【図２】
2018121574.tif 000004
【図３】
2018121574.tif 000005
【図４】
2018121574.tif 000006
【図５】
2018121574.tif 000007
【図６】
2018121574.tif 000008
【図７】
2018121574.tif 000009
【図８】
2018121574.tif 000010